(57)【要約】      （修正有）【課題】多段方式の位置決め機能を備え、操作の正確性が高く、巻取りをより迅速且つ簡単に行うことができる、ボタン位置決め方式の二方向に引き出し可能なコードリールの提供。【解決手段】ボタン２は上蓋１の中央孔１１内側の第一階層内に位置決めされ、且つ、ボタンに設けた突出部２１が嵌入槽に位置決めされ、さらに、ボタン底面に対称のバネ２２が設置され、隔離板３とボタンの間に一定の距離が形成され、且つ、ボタン底面に押圧突起を設け、押圧突起は下方の隔離板に設けた貫通槽３１と相互に対応し、隔離板は、上蓋中央孔内側の第二階層内に固定され、底面中央に下蓋７の中心軸７１を位置決めする位置決め槽が設けられ、その外側に貫通槽が開設され、貫通槽の下方に巻取り盤４の弾性突起部品４１が対応して位置し、さらに貫通槽内側に導引斜面と垂直面が形成され、貫通槽は左右対称に円周における１８０度の位置に開設され、半回転するたびに一回位置決めを行う。【選択図】図４
0003108039.tif 000002
【実用新案登録請求の範囲】
【請求項１】
上蓋、ボタン、隔離板、巻取り盤、コード、ぜんまい及び下蓋から構成され、そのうち、前記上蓋に該ボタンと同じ形状の中央孔を開設し、その内側に２つの階層状の第一階層と第二階層を設け、該第一階層にさらに嵌入槽を設け、前記ボタンは該上蓋の中央孔内側の第一階層内に位置決めされ、且つ、該ボタンに設けた突出部が第一階層の嵌入槽に位置決めされ、該ボタン底面に対称のバネが設置され、該隔離板とボタンの間に一定の距離が形成され、且つ、該ボタン底面に押圧突起を設け、該押圧突起は下方の隔離板に設けた貫通槽と相互に対応し、前記隔離板は、上蓋中央孔内側の第二階層内に固定され、底面中央に下蓋の中心軸を位置決めする位置決め槽が設けられ、その外側に該貫通槽が開設され、該貫通槽の上方に該ボタンの押圧突起が対応し、下方に巻取り盤の弾性突起部品が対応して位置し、さらに、該貫通槽内側の一側面に導引斜面が形成され、対面する別の一側面に垂直面が形成され、該貫通槽は左右対称に円周における１８０度の位置に開設され、半回転するたびに一回位置決めを行い、また、コードリールのコードをより正確に位置決めするため１８０度より小さい位置に該貫通槽を開設してもよく、前記巻取り盤は、その内側壁面に沿って挟み片と挟み口を備え、内側面上に弾性突起部品設置槽を設け、突起部品とバネと封止片がそれぞれ順序に従い設置され、そのうち、該突起部品は、角部が欠けた状態に導引斜面を備え、該隔離板に設けた貫通槽の導引斜面に対応し、前記コードは、中段部が挟み片に沿って挟み口の導引で巻取り盤外側に巻き付けられ、且つ、上段と下段に区分され、前記ぜんまいは、その中心端が下蓋内部の中心軸の嵌入槽に嵌接されて固定され、別の一端が巻取り盤の嵌入槽に嵌置されて固定され、コードリールの位置回復機能の主力源を形成し、前記下蓋は、該上蓋と嵌合され、内部の中心軸に該ぜんまいの中心端を嵌接するための嵌入槽を開設した、ボタン位置決め方式の二方向コードリール。  
【考案の詳細な説明】
【技術分野】
【０００１】
本考案はコードリールに関し、特に、本考案のコードリールは、コンピュータ情報産業用のデータ伝送ケーブル、電信ネットワーク伝送ケーブルまたは電源コード等に応用でき、コードやケーブルの整理に活用できる、ボタン位置決め方式の二方向に引き出し可能なコードリールに関する。
【背景技術】
【０００２】
従来のコンピュータ周辺機器または電信周辺機器等の製品は、データ伝送ケーブル（コード）を欠かすことのできない伝送媒体として利用しており、これら設備が必要とするデータ伝送ケーブルや電源コードは往々にして複数が同時に使用される状態となる。このため、これまで長い間ケーブルの「配線と整理」の問題が使用者の頭を悩ませてきた。特に、全体の外観やケーブルの絡まり、ケーブルが長すぎたり、短すぎたり等の問題は、実に不便で実用性に大きな影響を与えており、特に、コンピュータや電信ネットワーク機器を移動させるたびに、煩わしい配線とケーブル整理を行わなければならず、使用者の心理面または身体面のどちらにとっても大きな不安と不便さの原因となっている。
【０００３】
この問題を解決するため、従来の長すぎる伝送ケーブルを処理する方法としては、一般的にひもなどを利用し、長すぎるケーブルを折り曲げてまとめて縛る方法が実施されているが、この方法は前述のように外観が乱雑になるという問題を回避できず、また絡んだり、もつれたり等の問題もあり、さらに、長い間ケーブルを縛ってまとめた状態にしておくと、伝送ケーブルの安全性と伝送品質にも影響する。このため、最高の伝送品質と高効率及び最大の利便性を追求し、上述の問題を解決することが、本考案の主な課題と目的である。
【０００４】
前述を受け、現在市場にはすでにボール位置決め方式によるコードリールがあり、図１及び図２に示すように、該種のコードリールＡ１０は、前蓋Ａ１、ぜんまいＡ２、スライド座部Ａ３、伝送ケーブルＡ４、位置決めボールＡ５及び後ろ蓋Ａ６の各部品から構成され、このコードリールＡ１の基礎理念は、同様にスライド座部Ａ３内のぜんまいを利用し、伝送ケーブルＡ４の巻取りを行うことである。特に、その位置決め機構にボールＡ５を採用しているが、このボールＡ５の位置決め機能に合わせ、スライド座部Ａ３の底部に複数のボール軌道Ａ３１を開設する必要があり、ボールＡ５がこれら軌道Ａ３１内に嵌入され、且つ回転移動するしくみである。
【０００５】
このような軌道の設計は相当困難であり、高精度の大きさで設計されている必要があり、モールドの開設において困難であるだけでなく、また組み立てにおける不良率も大幅にアップしてしまい、コストが増加し、競争力が失われてしまう。さらに、軌道Ａ３１が磨耗したり、隙間が大きすぎたりすると、完全に位置決め機能が失われてしまうため、従来のコードリールＡ１０は往々にして引掛けが外れてしまったり、位置決めができないという問題が発生し、これらの問題がコードリールＡ１０の寿命を大幅に短縮してしまう。このほか、従来のコードリールは、ボールＡ５に軌道Ａ３１を組み合わせた位置決め構造を採用しているため、伝送ケーブルを巻き取るとき、一度に全部巻き取るという動作機制があり、少しずつ巻き取るという機能はなく、ケーブルを引き出した後の位置決め精度もスライド座部Ａ３の軌道に制限され、毎回1巻き引き出さなければ位置決めすることができず、巻線に求められる正確度が失われ、実際の使用において巻線の精度が不十分なため、伝送ケーブルが長すぎたり短すぎたりしてしまい、コードリールがぶら下がったりぐらついたりという現象が発生する。
【考案の開示】
【考案が解決しようとする課題】
【０００６】
本考案の目的は、多段方式の位置決め機能を備え、コードを必要な長さまで引き出した後自動的に位置決めされ、操作の正確性が高く、またコードの巻取りをより迅速且つ簡単に行うことができる、ボタン位置決め方式の二方向に引き出し可能なコードリールを提供することにある。
【課題を解決するための手段】
【０００７】
本考案のコードリールは、上蓋、ボタン、隔離板、巻取り盤、コード、ぜんまい及び下蓋から構成され、そのうち、前記上蓋に該ボタンと同じ形状の中央孔を開設し、その内側に２つの階層状の第一階層と第二階層を設け、該第一階層にさらに嵌入槽を設ける。前記ボタンは該上蓋の中央孔内側の第一階層内に位置決めされ、且つ、該ボタンに設けた突出部が第一階層の嵌入槽に位置決めされ、さらに、該ボタン底面に対称のバネが設置され、該隔離板とボタンの間に一定の距離が形成され、且つ、該ボタン底面に押圧突起を設け、該押圧突起は下方の隔離板に設けた貫通槽と相互に対応する。前記隔離板は、上蓋中央孔内側の第二階層内に固定され、底面中央に下蓋の中心軸を位置決めする位置決め槽が設けられ、その外側に該貫通槽が開設され、該貫通槽の上方に該ボタンの押圧突起が対応し、下方に巻取り盤の弾性突起部品が対応して位置し、さらに、該貫通槽内側の一側面に導引斜面が形成され、対面する別の一側面に垂直面が形成され、該貫通槽は左右対称に円周における１８０度の位置に開設され、半回転するたびに一回位置決めを行う。前記巻取り盤は、その内側壁面に沿って挟み片と挟み口を備え、内側面上に弾性突起部品設置槽を設け、突起部品とバネと封止片がそれぞれ順序に従い設置され、そのうち、該突起部品は、角部が欠けた状態に導引斜面を備え、該隔離板に設けた貫通槽の導引斜面に対応する。前記コードは、中段部が挟み片に沿って挟み口の導引で巻取り盤外側に巻き付けられ、且つ、上段と下段に区分される。前記ぜんまいは、その中心端が下蓋内部の中心軸の嵌入槽に嵌接されて固定され、別の一端が巻取り盤の嵌入槽に嵌置されて固定され、コードリールの位置回復機能の主力源を形成する。前記下蓋は、該上蓋と嵌合され、内部の中心軸に該ぜんまいの中心端を嵌接するための嵌入槽を開設する。
【考案の効果】
【０００８】
本考案のボタン位置決め方式二方向コードリールには、以下の利点がある。
１、  
本考案を利用すれば、伝送ケーブルを本考案の装置内に完全に巻き取ることができ、配線時の利便性と配線後の整理が簡単で、理想的且つ良好な使用機能が形成される。
２、  
本考案を利用すれば、伝送ケーブルを必要な長さまで引き出した後自動的に位置決めされ、使用効果が高い。
３、  
本考案のボタン位置決め機構によれば、少しずつ、多段方式の位置決め機能が得られるほか、伝送ケーブルを引き出す際に高い精度が得られる。
４、  
本考案のボタン開放機能を利用し、伝送ケーブルの巻取りをより迅速且つ簡単に行うことができ、一度に全部巻き取るか、少しずつ巻き取るか２つの機能から選択できる。
５、  
本考案のボタン位置決め機構によれば、従来のボールと軌道間の磨耗や隙間が大きすぎることによる寿命の短縮という問題を解決できるだけでなく、特に、本考案のボタン位置決め機構の最重要機能の１つである操作の正確性を得ることができる。
６、  
本考案のボタン位置決め機構を利用すれば、組み立てが簡単で迅速且つ便利であるだけでなく、不良率も大幅に抑えることができ、ひいては市場競争力の向上につながる。
【考案を実施するための最良の形態】
【０００９】
図３、図４に示すように、本考案のボタン位置決め方式二方向コードリールは、上蓋１、ボタン２、隔離板３、巻取り盤４、コード５、ぜんまい６及び下蓋７から構成され、そのうち、該上蓋１には、ボタン２と同じ形の中央孔１１が開設され、該中央孔１１にボタン２が嵌置されると共に、該上蓋１は下蓋７と嵌合して組み立てられる。さらに、図５に示すように、該上蓋１の中央孔１１の内側は、２つの階層状を呈し、第一階層１１１及び第一階層１１１に設けた嵌入槽１１２内にボタン２とボタン２に設けた突出部２１が位置決めされ、且つ、ボタン２の底部に対称の２つのバネ２２が設置され、第二階層１１３には隔離板３が設置されて固定される。この構造により、前記バネ２２の弾力を利用し、上蓋１内側のボタン２と隔離板３間に若干の距離が形成され、図１０に示すように、この距離がボタン２を下方向へ押圧する際の距離となる。
【００１０】
図７に示すように、ボタン２の底面には、前記２つのバネ２２が嵌置される嵌置孔２３が設けられるほか、対称の押圧突起２４が設置され、図６と図１０に示すように、該押圧突起２４は下方の隔離板３に開設された対称の貫通槽３１と相互に対応した状態を形成する。
【００１１】
図６に示すように、該隔離板３はその底面中央に前記下蓋７内部の中心軸７１を位置決めするための位置決め槽３２を設けるほか、さらに外側に前述の貫通槽３１が設けられ、該対称の貫通槽３１内側の一面に導引斜面３１１を形成し、該導引斜面３１１と対面する別の一面に垂直面３１２を形成する。この導引斜面３１１により、コードが引き出され巻取り盤４が回転するとき、該巻取り盤４面上に設けた突起状の弾性突起部品４１が引っかかることなく迅速且つ円滑に通過することができ、該垂直面３１２により、巻取り盤４の面上に突起状の設けた該弾性突起部品４１が、コードを巻き取るとき引っかかって位置決めされる。
【００１２】
図９に示すように、該巻取り盤４は、その内側側壁に沿って挟み片４２が設けられ、コード５を挟んで保持し、さらに、該巻取り盤４に開設された対応槽４３を介し、該コード５の中段部が挟み片に沿って挟み口４４の導引で巻取り盤４外側に巻きつき、且つ、上段と下段に区分され、二方向への引き出しが可能となる。次に、巻取り盤４内側のやや外寄りの位置に弾性突起部品設置槽４５を設け、突起部品４６、バネ４７と封止片４８を順序に従いそれぞれ設置する。図８に示すように、そのうちの突起部品４６は、角の部分が欠けた状態に導引斜面４６１が形成され、前述の隔離板に設けた貫通槽３１の導引斜面３１１に対応し、巻取り盤４の弾性突起部品４１が回転して通過するとき、引っかかることなく通過させる。図１０に示すように、該突起部品４６は、バネ４７により弾性が与えられ、封止片４８により弾性突起部品設置槽４５が完全に封止され、突起部品４６が常に上方向へ向かって支持された状態が形成される。
【００１３】
図４に示すように、該ぜんまい６の中心端６１は、下蓋７内部の中心軸７１の嵌入槽７１１に嵌接されて固定され、ぜんまい６はこの嵌入槽７１１に一端が固定された状態となる。さらに、ぜんまい６の別の一端は、巻取り盤４の嵌入槽４９に嵌置されて固定され、巻取り盤４が正・反方向に回転すると、内部のぜんまい６がきつくなった状態または緩んだ状態の2つの状態が形成される。
【００１４】
図１０に示すように、コードリールを使用しコード５を二方向へ引き出すときは、内部の巻取り盤４が回転し、巻取り盤４に設けた弾性突起部品４１が円滑に隔離板３の貫通槽３１の一側面に設けた導引斜面３１１を通過するため、コード５が円滑に引き出され、反対に、コード５を巻き取るときは、ボタン２を押すと、押圧突起２４が隔離板３の貫通槽３１を介し弾性突起部品４１を押し、巻取り盤４がぜんまいの力で元の位置に戻り、位置回復機能が形成される。ボタン２の施力を通し、一回に全部巻き取るか、少しずつ多段式に巻き取るかを選択できる。
【図面の簡単な説明】
【００１５】
【図１】従来のボール位置決め方式のコードリールの分解図である。
【図２】従来のボール位置決め方式のコードリールのスライド座部底部を示す立体図である。
【図３】本考案の最良の実施例を示す立体外観図である（巻取り後の状態）。
【図４】本考案のコードリールの立体分解図である。
【図５】本考案の上蓋の構造を示す立体図である。
【図６】本考案の隔離板の構造を示す立体図である。
【図７】本考案ボタンの構造を示す立体図である。
【図８】本考案の突起部品の平面図である。
【図９】本考案巻取り盤の構造を示す立体図である。
【図１０】本考案の全体の動作を示す側面断面図である。
【符号の説明】
【００１６】
１          上蓋  
１１        中央孔
１１１      第一階層
１１２      嵌入槽
１１３      第二階層
２          ボタン
２１        突出部
２２        バネ
２３        嵌置孔
２４        押圧突起
３          隔離板
３１        貫通槽
３１１      導引斜面
３１２      垂直面
３２       位置決め槽
４          巻取り盤
４１        弾性突起部品
４２        挟み片
４３      対応槽
４４        挟み口
４５      弾性突起部品設置槽
４６        突起部品
４６１      導引斜面
４７        バネ
４８      封止片
４９      嵌入槽
５      コード
６        ぜんまい
６１      中心端
７        下蓋
７１        中心軸
７１１      嵌入槽
【図１】
0003108039.tif 000003
【図２】
0003108039.tif 000004
【図３】
0003108039.tif 000005
【図４】
0003108039.tif 000006
【図５】
0003108039.tif 000007
【図６】
0003108039.tif 000008
【図７】
0003108039.tif 000009
【図８】
0003108039.tif 000010
【図９】
0003108039.tif 000011
【図１０】
0003108039.tif 000012